(57)【特許請求の範囲】
【請求項１】
操作キー及びマイクを備えた第１の筐体と、表示画面及びレシーバーを備えた第２の筐体と、両筐体を開閉自在に連結するヒンジユニットとを有し、該ヒンジユニットが、前記第１の筐体の、前記操作キー及びマイクが設けられた第１の面に垂直な軸回りに回転可能である折畳み式携帯電話機において、
前記第１の筐体の前記第１の面と、前記第２の筐体の、前記表示画面及びレシーバーが設けられた第１の面とが同じ側を向くように開いた通話状態において、前記第２の筐体と前記第１の筐体との角度を規制するために、前記第１の筐体の前記ヒンジユニットの近傍に、前記第２の筐体における前記第１の面とは反対側の第２の面を突き当てるリブが設けられており、
前記ヒンジユニットには、前記ヒンジユニットの回転時に前記リブを通すことができるトンネルが設けられていることを特徴とする折畳み式携帯電話機。
【請求項２】
前記リブの位置は、前記第１の筐体の前記第１の面の、前記マイクからみて前記ヒンジユニットより外側となる位置である、請求項１に記載の折畳み式携帯電話機。
【請求項３】
前記第２の筐体の前記第１の面には、前記第１の筐体の前記第１の面に前記第２の筐体の前記第１の面が重なるように折畳んだ状態から、前記第２の筐体を前記第１の筐体の前記第１の面に垂直な軸回りに１８０度回転させたときに前記リブが入ることができる窪みが形成されている、請求項１又は２に記載の折畳み式携帯電話機。
【請求項４】
前記１の筐体における前記第１の面とは反対側の第２の面にカメラが搭載されている、請求項１から３のいずれか１項に記載の折畳み式携帯電話機。
【発明の詳細な説明】
【技術分野】
【０００１】
本発明は、操作部を設けた第１の筐体に対して、ディスプレイ部を設けた第２の筐体を開閉自在に連結するばかりでなく、その第２の筐体を反転できるように連結する２軸ヒンジを有する折畳み式携帯電話機に関する。
【背景技術】
【０００２】
一般に使用されている折り畳み型携帯電話機は、操作ボタン及びマイクなどを備えた第１の筐体と、ＬＣＤ（液晶ディスプレイ）及びレシーバーなどを備えた第２の筐体と、両者を開閉自在に連結するヒンジ部とを備えている。このタイプの携帯電話機では、通話時の耳と口の位置を考慮して、第１の筐体と第２の筐体を最大に開いたときの角度を適正な角度（１６０度程度）に規制するストッパが設けられていることが多い（特許文献１及び２参照）。また、このストッパは特許文献２に開示されているように、第１の筐体と第２の筐体とのヒンジ付近の突き当て面に形成されたリブ（突起）からなり、ヒンジに対する過剰な負荷を防止する効果も奏する。
【０００３】
また、特許文献３及び４などに開示されているように、第１の筐体と第２の筐体を連結するヒンジ部が２軸ヒンジからなる携帯電話機も知られている。この２軸ヒンジによれば、第１の筐体に対して第２の筐体を開閉可能にするだけでなく、その第２の筐体を反転させることもできる。したがって、このタイプの携帯電話機では、第２の筐体を第１の筐体上にＬＣＤを外側に向けた状態で重ね合わせることができる。さらに、第１の筐体の背面にカメラが設けられている場合は、第２の筐体を反転させ且つ１８０度開いた状態にしてカメラとＬＣＤを同じ方向に向けると、自分撮りが可能になる。
【特許文献１】特開２００２−１１１８１８号公報
【特許文献２】特開２００２―３４４６０１号公報
【特許文献３】特開２００２−２０９０００号公報
【特許文献４】特開２００３−２３９９４３号公報
【発明の開示】
【発明が解決しようとする課題】
【０００４】
２軸ヒンジを用いた折畳み式携帯電話機においても、通話時に第１の筐体と第２の筐体を通話に適した角度にて保持することが望ましい。
【０００５】
しかし、特許文献３に開示されたタイプの２軸ヒンジを使用する携帯電話機では、特許文献１及び２に開示されるように第１の筐体と第２の筐体との突き当て面にリブ形状のストッパを設けることは困難であった。
【０００６】
特許文献３に開示されたタイプの２軸ヒンジは第２の筐体を開閉するためのヒンジが第１の筐体の表面上で回転する構造である。このため、ヒンジ付近の第１の筐体表面に、開状態の第２の筐体の背面が突き当たるリブを設けると、第２の筐体が反転できなくなるからである。また、第２の筐体の背面にリブを設けると、ＬＣＤを外側に向けて第２の筐体を第１の筐体の表面に重ね合わせることができなくなるからである。
【０００７】
このような不具合を回避するために、ヒンジ自体に両筐体を所定の角度で固定できる機構を設けることが考えられるが、この場合はヒンジサイズが大きくなり、電話機全体のサイズに影響を及ぼす。
【０００８】
したがって、特許文献３に開示されているタイプの２軸ヒンジを使用した携帯電話機では、通話時の第１の筐体と第２の筐体との最大開き角度を適正な角度に規制していない事が多い。つまり、自分撮り時の開状態と同じように、通話時の開状態でも、第１の筐体と第２の筐体の開き角度が１８０度になっている（特許文献３の図３参照）。
【０００９】
そこで本発明は、特許文献３に開示されたタイプの２軸ヒンジを使用する携帯電話機の問題点に鑑みてなされたものであって、電話機全体のサイズに影響を与えること無く、通話状態において適正な開き角度に規制することができる折畳み式携帯電話機を提供することを目的とする。
【課題を解決するための手段】
【００１０】
本発明の折畳み式携帯電話機は、操作キー及びマイクを備えた第１の筐体と、表示画面及びレシーバーを備えた第２の筐体と、両筐体を開閉自在に連結するヒンジユニットとを有し、このヒンジユニットが、第１の筐体の、操作キー及びマイクが設けられた第１の面に垂直な軸回りに回転可能である電話機である。
【００１１】
そして、本発明の特徴としては、第１の筐体の前記第１の面と、前記第２の筐体の、表示画面及びレシーバーが設けられた第１の面とが同じ側を向くように開いた通話状態において、第２の筐体と第１の筐体との角度を規制するために、第１の筐体のヒンジユニットの近傍に、第２の筐体における第１の面とは反対側の第２の面を突き当てるリブが設けられている点である。さらに、ヒンジユニットには、ヒンジユニットの回転時にリブを通すことができるトンネルが設けられている点である。
【００１２】
このような特徴によれば、ヒンジユニットの回転時にリブをトンネルに通すことができるので、ヒンジユニットの回転が妨げられない。したがって、通話状態での第２の筐体と第１の筐体との角度を適正な角度に規制するためのリブを第１の筐体のヒンジユニットの近傍に配置することができる。また、リブをヒンジユニットに近付けることができるので、リブの高さを低く出来るとともに、第１の筐体のサイズも小さくすることができる。
【００１３】
上記の突起の位置は、具体的には、第１の筐体の第１の面の、マイクからみてヒンジユニットより外側となる位置である。
【００１４】
さらに、第２の筐体の第１の面には、第１の筐体の第１の面に第２の筐体の第１の面が重なるように折畳んだ状態から、第２の筐体を第１の筐体の第１の面に垂直な軸回りに１８０度回転させたときにリブが入ることができる窪みが形成されていることが好ましい。このように構成すると、第２の筐体の、表示画面が設けられた第１の面と、第１の筐体の、操作キーが設けられた第１の面とは反対側の第２の面とが、同じ側を向くように開いた状態で、第１の筐体に対する第２の筐体の開き角度が１８０度になる。つまり、第１の筐体の第１の面とは反対側の第２の面にカメラが搭載されている場合、自分撮りに最適な角度となる。
【発明の効果】
【００１５】
以上説明したように本発明によれば、操作キー及びマイクを備えた第１の筐体と、表示画面及びレシーバーを備えた第２の筐体とを開閉自在に連結するヒンジが第１の筐体の表面上で回転する構造の折畳み式携帯電話機において、電話機全体のサイズに影響を与えること無く、通話状態において適正な開き角度に規制することができる。
【発明を実施するための最良の形態】
【００１６】
次に、本発明の実施の形態について図面を参照して説明する。
【００１７】
図１は本発明の一実施形態である折畳み式携帯電話機の通話時の開状態を示しており、（ａ）は上面図、（ｂ）は側面図である。
【００１８】
本実施形態の携帯電話機は、図１に示すように、数字キーやファンクションキーなどの操作キー（図示せず）並びにマイク１などを備えた第１の筐体２と、レシーバー３及びＬＣＤ４などを備えた第２の筐体５と、両筐体２，５を開閉自在に連結するヒンジユニット６とを有する。なお、ここで「開閉自在」とは、第１の筐体２の表面から第２の筐体５を起したり、第１の筐体２の表面に第２の筐体５を伏せたりできることをいう。
【００１９】
上記のヒンジユニット６は、第１の筐体２の、操作キー及びマイク１が設けられた第１の面２ａであって、かつ、マイク１とは反対側の端部に配置されている。このヒンジユニット６は、第１の筐体２の第１の面２ａに垂直に設けられた第１の軸（図示せず）に回転可能に取り付けられている。但し、この第１の軸を中心とするヒンジユニット６の回転範囲は、図１の状態から時計方向に１８０度までに規定した。第１の筐体２と第２の筐体５の電気部品同士を接続する配線をヒンジユニット６内に通しているため、ヒンジユニット６が自由に回転できると、配線が損傷するおそれがあるからである。
【００２０】
また、第２の筐体５の、レシーバー３とは反対側の端部には、間に凹部７を形成する一対の突部８が設けられている。第１の筐体２に取り付けられたヒンジユニット６に、第２の筐体５の凹部７が図１（ａ）に示すように嵌められ、第２の筐体５の突部８とヒンジユニット６とが、上記の第１の軸と直交する方向に配置された第２の軸（図示せず）によって連結されている。これにより、第２の筐体５が第１の筐体２に対して開閉自在になっている。
【００２１】
図１（ｂ）に示すように、第１の筐体２の第１の面２ａの、マイク１からみてヒンジユニット６より外側となる位置には、リブ（突起）９が配置されている。これにより、第１の筐体２の第１の面２ａと、第２の筐体５の、ＬＣＤ４が設けられた第１の面５ａとが同じ側を向くように、第２の筐体５を開いたとき、第２の筐体５の、第１の面５ａとは反対側の第２の面５ｂがリブ９に突き当たる。この結果、通話時の開状態では、第２の筐体５の第１の面５ａが第１の筐体２の第１の面２ａに対して１８０度まで開くことがなく、通話時の口と耳の位置を考慮した角度（例えば１６０度）で保持される。
【００２２】
図２は図１に示した状態から第２の筐体５を第１の筐体２上に折畳んだときの携帯電話機の斜視図を示している。また、図３は同様に折畳んだときの携帯電話機の三面図（（ａ）は上面図、（ｂ）は正面図、（ｃ）は側面図）を示している。
【００２３】
図２及び図３に示すように、リブ９はヒンジユニット６に出来るだけ近付けて配置される。これは、通話時に第２の筐体５を適正な角度で保持するためのリブ８がヒンジユニット６から遠いほど、第１の筐体２のサイズが大きくなり、リブ９の高さも高くする必要が生じるからである。このため、電話機全体のサイズを小型化する目的で、リブ９はヒンジユニット６の近傍に配置されている。
【００２４】
図４は図３に示したような折畳み状態から第２の筐体５を上記の第１の軸回りに回転させるときの様子を示している。
【００２５】
本発明では、ヒンジユニット６を、第１の筐体２の第１の面２ａに垂直な第１の軸を中心に回転させたとき、ヒンジユニット６がリブ９に当たって回転できなくなる事を避ける必要がある。このため、図４に示すようにヒンジユニット６の下側に、ヒンジユニット６を回転させたときにリブ９を通すことができるトンネル１０（図１の点線部分を参照）が設けられている。つまり、ヒンジユニット６を図４に示す方向に回転させたときに、ヒンジユニット６は、ヒンジユニット６の下を通るトンネル１０によってリブ９と干渉しないようになっている。
【００２６】
なお、本例では、ヒンジユニット６を通る配線の損傷を防ぐために、上記第１の軸を中心とする第２の筐体５の回転範囲を図４の状態から時計方向に１８０度までに制限している。このため、図４に示す矢印とは逆の方向にヒンジユニット６を回転させたときにリブ９を通すことができるトンネルは設けていない。しかし、本例のように回転範囲を規定しない場合にはこのようなトンネルを設ける必要がある。
【００２７】
図５は図３に示したような折畳み状態から第２の筐体５を上記の第１の軸回りに回転させたときの第２の筐体５の回転軌跡を示している。
【００２８】
リブ９はヒンジユニット６の近傍に配置されているが、図５に示すような第２の筐体５の回転軌跡範囲（二点鎖線ＡとＢの間の領域）にはリブ９を配置することはできない。つまり、本発明において、リブ９の位置は、第１の筐体２の第１の面２ａの、マイク１からみてヒンジユニット６より外側となる位置であり、かつ、ヒンジユニット６の近傍であって、第２の筐体５の回転軌跡範囲外に限定される。
【００２９】
図６は図３に示したような折畳み状態から第２の筐体５を上記の第１の軸回りに１８０度回転させた状態を示しており、（ａ）は上面図、（ｂ）は側面図である。
【００３０】
この状態では、図６に示すように、第２の筐体５におけるＬＣＤ４が設けられた第１の面５ａと、第１の筐体２の、操作キーが設けられた第１の面２ａとは反対側の第２の面２ｂとが、同じ側を向く。このため、第１の筐体２の第２の面２ｂにカメラが備えられている場合、ＬＣＤ４に自分を映し出して見ることができる。いわゆる自分撮りが可能になる。このとき、図６（ｂ）に示すように、第１の筐体２に対する第２の筐体５の開き角度が、自分撮りに最適な１８０度になっている。
【００３１】
なお、図１（ａ）に示すように、第２の筐体５の第１の面５ａには、図３に示したような折畳み状態から第２の筐体５を上記の第１の軸回りに１８０度回転させたときにリブ９が入ることができる窪み部１１が形成されている。このため、図６に示すような状態にしたとき、第１の筐体２に対する第２の筐体５の開き角度が１８０度となる。
【００３２】
また、図６に示したような、自分撮りが可能な状態から、第２の筐体５を第１の筐体２の第１の面２ａ上に重ねると、電話機が折畳まれた状態で、ＬＣＤ４を外側に向けることができる。さらに、この状態から、第２の筐体５を上記の第１の軸回りに１８０度回転させると、電話機は図１に示すような通話時の開状態となる。この回転動作の際、第２の筐体５の第２の面５ｂがリブ９で傷付けられないでリブ９の上面に乗り上げることができるように、リブ９の両側部９ａ（図４参照）は角のない丸まった形状になっている。
【００３３】
以上、本発明の実施形態による折畳み式携帯電話機を説明したが、本発明の技術思想は携帯電話機に限られず、携帯機器全般において適用することができる。つまり、第１の筐体と第２の筐体を開閉自在に連結するヒンジが第１の筐体の表面上で回転する構造であって、第２の筐体の開き角度を規制する必要がある折畳み式携帯機器において、機器全体のサイズの小型化のために、第１の筐体の表面のヒンジ近傍に、第２の筐体の背面を突き当てる突起を配置したいという機器全てに適用することができる。
【図面の簡単な説明】
【００３４】
【図１】本発明の一実施形態である折畳み式携帯電話機の通話時の開状態を示す図である。
【図２】図１に示した状態から第２の筐体を第１の筐体上に折畳んだときの携帯電話機を示す斜視図である。
【図３】図１に示した状態から第２の筐体を第１の筐体上に折畳んだときの携帯電話機を示す三面図である。
【図４】図３に示したような折畳み状態から第２の筐体をヒンジユニットの第１の軸回りに回転させるときの様子を示した図である。
【図５】図３に示したような折畳み状態から第２の筐体をヒンジユニットの第１の軸回りに回転させたときの第２の筐体の回転軌跡を示す図である。
【図６】図３に示したような折畳み状態から第２の筐体をヒンジユニットの第１の軸回りに１８０度回転させた状態を示す図である。
【符号の説明】
【００３５】
１    マイク
２    第１の筐体
３    レシーバー
４    ＬＣＤ
５    第２の筐体
６    ヒンジユニット
７    凹部
８    突部
９    リブ（突起）
１０    トンネル
１１    窪み部
【図１】
0004424504.tif 000002
【図２】
0004424504.tif 000003
【図３】
0004424504.tif 000004
【図４】
0004424504.tif 000005
【図５】
0004424504.tif 000006
【図６】
0004424504.tif 000007